(57)【要約】【課題】簡単且つ確実に界面活性化作用を有するマイナスイオンのヒドロキシルイオンを生成させながら、同時に水分子クラスターを小さくすることができる方法とその装置を安価に提供する。【解決手段】  任意形状に成形した多孔質ガラスの三次元的な網目状の連続した細孔に水を透過させることにより、ヒドロキシルイオンの豊富な水を生成し、且つ水分子クラスターを小さくし、水を改質する。本発明に最も適しているシラス多孔質ガラス（以下、ＳＰＧという）は、膜を貫通する多数の細孔を有し、気孔率の高い細孔の均一性について優れている。ＳＰＧの成形形状は特に限定されないが、平板形、円柱形、あるいは中空糸膜状のＳＰＧを束ねたフィルターなどに成形できる。また、ＳＰＧ膜表面層に通電可能な鍍金を施すことにより一方面にプラス極、他方面にマイナス極の電極を取り付け、水を透過させながら水を電気的に改質することも可能である。【選択図】図１
2006110535.tif 000002
【特許請求の範囲】
【請求項１】
シラス多孔質ガラスを用いた界面活性力を有する水又は水溶液の生成方法であって、シラス多孔質ガラスの貫通孔に水又は水溶液を透過させることにより界面活性化作用を有するマイナスイオンであるヒドロキシルイオンの豊富な水又は水溶液を生成することを特徴とする水又は水溶液の生成方法。
【請求項２】
多孔質体の三次元的な網目状の連続した細孔に水又は水溶液を透過させることにより、界面活性力を有するマイナスイオンであるヒドロキシルイオンの豊富な水又は水溶液を生成することを特徴とする水又は水溶液の生成方法。
【請求項３】
請求項１または請求項２記載の多孔質体を用いたマイナスイオンである界面活性化作用を有する水又は水溶液を生成する生成装置。
【請求項４】
ノズルを有する押圧ヘッドと内部に液体汲み上げ用の導管が挿通されるとともに、水又は水溶液が収納された水収納容器とからなり、前記押圧ヘッドに圧力を加えることにより請求項１または請求項２記載の多孔質体を介してノズルよりマイナスイオンである界面活性化作用を有するヒドロキシルイオン水を生成吐出することを特徴とする水の生成装置。
【発明の詳細な説明】
【技術分野】
【０００１】  本発明は、水又は食酢等の水溶液（以下、単に水という）のクラスターを小さくし、マイナスイオンである界面活性化作用を有するヒドロキシルイオンの豊富な水を生成することのできる多孔質ガラス膜を用いた水の改質方法、またその装置に関するものである。
【背景技術】
【０００２】  人間をはじめ、動物の生体の６５％以上は水分で構成されている。今日まで私たちは、天然水は無害であるもとの信じてきた。しかし現代社会においては、自然界では様々な環境汚染が進行し、今後は、安全な水、健康のために良いという水を選択せざるを得ないという時代が到来している。【０００３】  水は、ぶどうの房のようにＨ２Ｏ分子が数十個集まった構造になっており、分子の集合体（クラスター）として存在しているが、このクラスターの大きさは様々である。そして、クラスターの小さい水ほど浸透性が高く、生体細胞の隅々まで浸透し、栄養素を運び入れ、老廃物を効率よく運び出し、個々の細胞を活性化する作用があると言われている。【０００４】  従来からマイナスイオンであるヒドロキシルイオンの豊富な水や、クラスターの小さい水の効果に関する報告は数々なされている。図９に水中で界面活性化作用を有すると言われるヒドロキシルイオン［（ＯＨ−）ｍ（Ｈ２Ｏ）ｎ］の構造図を示す。これは界面活性剤のような一分子中に親水基、疎水基を有するものと同様に、ヒドロキシルイオンにも親水性、疎水性の部分を有することから、水と油などを乳化してしまう作用を起こすというものである。【０００５】  界面活性化作用を有するヒドロキシルイオンの豊富な水を生成する方法としては、水のクラスターを小さくする方法と同様に電気分解による方法や、水中に電気石と呼ばれているトルマリンなどの鉱石を投入して自然電気分解による方法などのように、水分子Ｈ２ＯをＨ＋とＯＨ−に分解させ、Ｈ＋はＨ２水素ガスとして放出されるが、ＯＨ−は分解されてない水中のＨ２Ｏと結合（水和）してヒドロキシルイオンＯＨ−（Ｈ２Ｏ）になるという原理で界面活性化作用を有するヒドロキシルイオンを生成する方法が殆どである。【０００６】  またＨ＋は一般に単独の水素イオンとしては存在せず、水溶液中では水中のＨ２Ｏと水和してヒドロニウムイオン［Ｈ＋（Ｈ２Ｏ）］として存在している。ここで、例えばオキソニウム塩［Ｈ３Ｏ］＋［Ｃ１Ｏ４］−に含まれているような［Ｈ３Ｏ］＋という明確な組成をもったものはオキソニウムイオンとよばれるが、これに対して水溶液中のように水和の程度が明らかでないときにヒドロニウムイオンといわれる。このようにＨ＋とＯＨ−はＨ２Ｏとの水和の程度というものが存在し水中での前述のＯＨ−（Ｈ２Ｏ）とＨ＋（Ｈ２Ｏ）は、［（ＯＨ−）ｍ（Ｈ２Ｏ）ｎ］と［（Ｈ＋）ｍ（Ｈ２Ｏ）ｎ］で表されると考えられる。つまりヒドロキシルイオンも水分子（Ｈ２Ｏ）ｎのクラスターを形成して存在していると考えられる。従来、界面活性化作用のヒドロキシルイオンを有する水の生成方法としては、例えば、特許文献１や特許文献２に記載されているようにトルマリン等の電気石を用いる方法が殆どである。特許文献１には、イオン交換樹脂槽とトルマリン槽を連結させて水を通水させることにより界面活性化作用のヒドロキシルイオンを有する洗浄水を生成するというものが記載されている。また、特許文献２には、トルマリンに接触させてヒドロキシルイオンを生成した水を、送風機によりマイナスイオンとして大気中に放出するものが記載されている。【０００７】
【特許文献１】特開平７−０９６２８３号公報
【特許文献２】特開平１１−１７８９３８号公報
【０００８】  このようにトルマリン等の電気石を用いて、界面活性化作用を有するヒドロキシルイオンを生成する方法では、水との接触により生成されるため電気石の占める表面積が重要である。同様に、活性炭やセラミックス焼結体を用い、水の流通する途中にこれらの固形体を多数個収納し、水に浸漬あるいは接触させることでクラスターを小さくしようとするものもある（例えば、特許文献３及び特許文献４参照）。【０００９】
【特許文献３】特開平６−３２０１７５号公報
【特許文献４】特開平８−２５２５７４号公報
【発明の開示】
【発明が解決しようとする課題】
【００１０】  しかしながら、上記のように、イオン交換樹脂槽とトルマリン槽を通水させながらトルマリンなどの固形体に接触させてヒドロキシルイオンを生成させる方法や活性炭やセラミックス焼結体などの固形体に水を接触させて水分子クラスターを小さくする方法では、固形体を収納している容器内で隣接する固形体間にどうしても様々な大きさの空隙が生じるため、ヒドロキシルイオンの生成、あるいは水分子クラスターを小さくするには不十分と考えられる。本発明は、上記のような課題に鑑みなされたもので、孔径の均一に揃ったシラス多孔質ガラス膜に水を強制的に透過させることにより、簡単且つ確実に界面活性化作用を有するマイナスイオンのヒドロキシルイオンを生成させながら、同時に水分子クラスターを小さくすることができる方法と、その装置を安価に提供することにある。
【課題を解決するための手段】
【００１１】  このため本発明では、任意形状に成形した多孔質ガラスの三次元的な網目状の連続した細孔に水を透過させることにより、ヒドロキシルイオンの豊富な水を生成することができ、且つ水分子クラスターを小さくし、水を改質することを第１の特徴とする。本発明に最も適しているシラス多孔質ガラス（以下、ＳＰＧという）は、膜を貫通する多数の細孔を有し、気孔率の高い細孔の均一性について優れている公知の多孔質ガラスである。ＳＰＧの成形形状は特に限定されないが、平板形、円柱形、あるいは中空糸膜状のＳＰＧを束ねたフィルターなど使用目的に応じた形状に成形できる。また、ＳＰＧ膜表面層に通電可能な鍍金を施すことにより一方面にプラス極、他方面にマイナス極の電極を取り付け、水を透過させながら水を電気的に改質することも可能である。
【発明の効果】
【００１２】  本発明によれば、大掛かりな電気的な装置を必要とせず安価な装置で水のクラスターを小さくしながら界面活性化作用を有する水の生成が可能である。【００１３】  本発明によれば、トルマリン等の電気石や、セラミックス焼結体などを積層させたフィルターのように隣接する固形体間の空隙を通過するような状態は全く起こらず、ＳＰＧを用いた水透過装置は、均一に揃った図２に示すような孔を確実に透過させることのできる装置である。ＳＰＧはガラスフィルターであり、管状のものでは約３０Ｋｇｆ／ｃｍ２の外圧に耐えることができる。したがって、孔径の不均一な有機膜のように、外圧を加えたときその孔径より大きいものが有機膜の孔径を拡げながら透過してしまうという不具合も発生しない。【００１４】  すなわち、ＳＰＧは無機質膜で孔径が均一に揃っていることにより、圧力を加えれば水を強制的にＳＰＧ細孔に均一に透過させることが可能で、細孔径が小さくなるほどＳＰＧ表面積も広くなり細孔径１０μｍで表面積は約０．２ｍ２／ｇ、細孔径０．２μｍで表面積は約８ｍ２／ｇにもなる。
【発明を実施するための最良の形態】
【００１５】  以下に、本発明の実施の形態を図面に示す実施例に基づいて説明する。
図１は本発明の一実施例を示す水透過モジュール全体を示す概略図、図２はＳＰＧ膜を模式的に示す断面図、図３はＳＰＧ処理前の原水と、孔径２．７μｍのＳＰＧ膜に透過した水（以下、ＳＰＧ処理水という）との３ヶ月経過後の状態を液体イオン化質量分析法により比較測定した質量スペクトルを示すグラフで、水分子を換算してその個数として示したものである。図４は図３の両者分布の水分子クラスター増減分布を示すグラフ、図５はＳＰＧ膜を搭載した噴霧器の一実施例を示す斜視図、図６はＳＰＧ膜を搭載した噴霧器の他の実施例を示す斜視図、図７はＳＰＧ膜を搭載した浄水装置の一実施例を示す斜視図、図８は浄水装置に搭載されたＳＰＧ膜を模式的に示す一実施例の断面図、図９は水中の界面活性化作用を有するマイナスイオンのヒドロキシルイオンの構造図、図１０はＳＰＧ膜を通過する過程で生成される水中のヒドロキシルイオンの構造図、図１１は孔径０．２μｍのＳＰＧ処理水とＳＰＧ処理前原水のエマルション乳化１日目（当日）の状態を示す写真、図１２は孔径０．２μｍのＳＰＧ処理水とＳＰＧ処理前原水のエマルション乳化５日目の状態を示す写真、図１３は孔径０．２μｍのＳＰＧ処理水とＳＰＧ処理前原水のエマルション乳化７日目の状態を示す写真、図１４は孔径０．２μｍのＳＰＧ処理水とＳＰＧ処理前原水のエマルション乳化８日目に再攪拌した状態を示す写真、図１５は孔径０．２μｍのＳＰＧ処理水と他社水のエマルション乳化１日目（当日）の状態を示す写真、図１６は孔径０．２μｍのＳＰＧ処理水と他社水のエマルション乳化２日目の状態を示す写真、図１７は孔径０．２μｍのＳＰＧ処理水と他社水のエマルション乳化７日目の状態を示す写真、図１８は孔径０．２μｍのＳＰＧ処理水と他社水のエマルション乳化１５日目の状態を示す写真である。【００１６】  ＳＰＧは水に非常に濡れやすいという親水性の膜である。これは、図１０に示すように、広いＳＰＧ表面にヒドロキシル基（ＯＨ−）が露出しており、水分子同士の水素結合と同様に、ＳＰＧ表面で静電気的な力あるいは水素結合が起きているためということが考えられる。したがって孔径が均一で三次元的な網目状の連続した細孔を透過するので、図１０のＷ０１のクラスター形成している水はＳＰＧ表面のヒドロキシル基（ＯＨ−）に確実に接触し、図中、矢示する改質過程Ｌ１を経てＷ１１と水分子クラスターの小さいＷ２１との水和のヒドロキシルイオン構造を形成するようにＳＰＧ表面上での改質、細分化が効率良く行われると思われる。【００１７】  同様に、改質過程Ｌ２を経てＷ１２と水分子クラスターの小さくなったＷ２２との水和のヒドロキシルイオン構造を形成している模様を矢示する。このようにＳＰＧを透過させるＳＰＧ処理水というのは界面活性化作用を有するクラスターが小さいヒドロキシルイオン［（ＯＨ−）ｍ（Ｈ２Ｏ）ｎ］を豊富に生成することが容易に可能である。ＳＰＧ膜を搭載した水の改質装置は、図８に示すような片側を封管したＳＰＧ膜を搭載した図７に示すような構造の水改質装置も考えられる。この図７に示す装置は、ＳＰＧ膜の周辺に活性炭１４を敷き詰めて、活性炭層１５で水中の大きな不純物などを一次ろ過として行い、二次フィルターとしてＳＰＧ膜��通水させることにより汚れた原水を効率よく浄化し、水のクラスターを小さくしながら界面活性化作用を有する水を生成することのできる水の改質装置が考えられる。
【実施例１】
【００１８】  図１に水透過モジュールを示す。本実施例では水の透過膜として、円筒状のＳＰＧ膜１を用いた。このＳＰＧ膜１は、細孔径が均一で、０．０５μｍ乃至３０μｍの範囲で細孔径を選定できるが、本実施例ではＳＰＧ処理水に界面活性化作用を有するヒドロキシルイオンが豊富に存在することを確認するために、界面活性剤を添加することなく水そのものでＯ／Ｗエマルションの乳化状態の持続性観察を行った。【００１９】  ＳＰＧ膜乳化において界面活性剤を添加することなく孔径約０．２μｍのＳＰＧ処理水を連続相として使用し、分散相に大豆油を使用してＯ／Ｗエマルションを生成した。またその比較対象として同様に、ＳＰＧ処理する前の原水と、界面活性化作用があるとされている前記特許文献１に記載されたものと同様の方法で生成された処理水（比較例水１；商品名：創生水）及び市販のミネラルウォーター（比較例水２；採水地が大分県日田市中ノ島町の商品名；日田天領水）でＯ／Ｗエマルションを生成した。ここでＳＰＧ膜乳化法を用いたのは、水のクラスターを小さくする方法に超音波が使われるという場合もあり、超音波乳化法や２４０００ｒｐｍ程度の高速のホモジナイザー乳化法では、乳化の最中に水そのもののクラスターを細分化してしまうという可能性があり、水そのものの本来の性状での乳化力確認実験に適さないと考察したからである。【００２０】  ＳＰＧ膜乳化は連続相を約５００ｒｐｍ程度でゆっくり回転させながら乳化が行えるので本来性状の水のクラスターを変えることなく乳化力確認実験を行うことができるので最適である。表１に乳化持続性の結果を示し、経時的乳化安定状態を示す写真を図１１乃至図１４と図１５乃至図１８に示す。ここで、界面活性力が弱いものは終盤に油の層が上澄みに出現してきていることが分かる。表１から明らかなように、ＳＰＧ処理する前の水道水と原水の何れもＳＰＧ処理後の水に界面活性化作用が出現しているのが分かる。また、ＳＰＧ膜の孔径が小さくなるほどその界面活性化作用の持続性が長くなっているのが分かる。これは、使用する孔径が小さくなるほどＳＰＧ膜表面積が広くなるので界面活性化作用を有する水としての改質が効率よく行われると予想できる。図３及び図４のグラフから、ＳＰＧ処理する前の原水の水分子のクラスター分布に比べて、ＳＰＧ処理水は、大きい方のクラスター分布が減少し、小さい方のクラスター分布が増加した状態で安定しているのが分かる。【００２１】
【表１】
2006110535.tif 000003
【００２２】  尚、表中、原水と孔径０．２μｍのＳＰＧ処理水と、ヒドロキシルイオンが豊富といわれる比較例処理水による乳化力比較の「〜以上」とは、この日から油分分離が始まったことを意味する。
【実施例２】
【００２３】  図５、図６に、クラスターの小さい水となり界面活性化作用を有するマイナスイオンを生成できる器具を示す。図５に示す噴霧器は、ハンドスプレータイプで、ポンプ部１１を人手で押圧すると、水汲み汲み上げ導管１０よりＳＰＧ膜１を介してマイナスイオンの豊富なクラスターが小さくなった水がノズル１２から噴霧される構成にされている。また、図６に示す噴霧器は、容器内の気圧をポンプ部１１で高めておいて、水を噴霧させたいときにボタン１３を押圧することにより水汲み上げ導管１０よりＳＰＧ膜を介して水のクラスターが小さく、界面活性化作用を有するマイナスイオンが豊富な水がノズル１２から噴霧されるという構成にされている。これら噴霧器に水道水や、ミネラルウォーターを入れて噴霧するだけでいつでもどこでも必要に応じてその場でクラスターの小さい水である界面活性化作用を有するマイナスイオンを肌や、植物などに補給することができる。表２に孔径０．２μｍのＳＰＧ処理水を図５に示す噴霧器の容器内に投入し噴霧させたときのマイナスイオン量と、ＳＰＧ処理する前の原水を図５に示す噴霧器の容器内に投入し噴霧させたときのマイナスイオン量の比較を示す（測定条件：温度２７℃、湿度５３％、室内マイナスイオン濃度−４／ｃｃ）。【００２４】
【表２】
2006110535.tif 000004
【００２５】  マイナスイオン量は一般家庭で約−１００／ｃｃ、滝周辺でも約−５０００／ｃｃ程度しか発生しない。表２から明らかなように、本実施例では、医療効果が期待できる−１００００／ｃｃを大幅に越える量のマイナスイオンが発生することが判明した。
【実施例３】
【００２６】  図１９に、ＳＰＧ膜２７に水を透過する際に微弱電気が発生していることが確認できるシステムを示す。このとき発生した電圧を表３に、そのグラフを図２０に示す。このときＳＰＧ膜２７を透過する水圧を表４に、そのグラフを図２１に示す。図中、２４はＳＰＧ膜２７を透過する前の水タンク、３１はＳＰＧ膜２７を透過した後の水タンク、３２は圧力計、２５は循環ポンプ、２６は水の流れ、２８は電圧計で、電圧計２８は、ＳＰＧ膜２７を透過する前の水の電位を測定する端子２９と、ＳＰＧ膜２７を透過した後の水の電位を測定する端子３０とを備えている。【００２７】  表３と図２０に示すように、ＳＰＧ膜２７を透過させる水の流速が上がるか、ＳＰＧ膜２７の孔径が小さくなることによりＳＰＧ膜２７を透過する前と後との２点間電圧が上昇することが分かる。また、ＳＰＧ膜２７を透過する水の流れを止めた後、水がＳＰＧ膜２７を透過する前と後との２点間の電圧は一定値で安定することが確認されている。これは、ＳＰＧ膜２７表面で静電気的変化が生じていると考えられる。この現象は、システム構造を工夫することにより発電機や蓄電池、セラミックコンデンサーなど電気機器、電子部品などの応用が可能とも考えられる。【００２８】
【表３】
2006110535.tif 000005
【００２９】
【表４】
2006110535.tif 000006
【産業上の利用可能性】
【００３０】  ＳＰＧ膜そのものは、水のクラスターを変えるだけでなく均一な孔径を有しているので、大きな抜け穴が無く、ろ過不足などの心配も全くなく除菌効果なども期待できる。また、クラスターの小さい水とマイナスイオンであるヒドロキシルイオンは浸透性に優れ洗浄力、乳化力があるため、乾燥した肌などに噴霧し保水力を高めたり、頭皮にスプレーすることにより頭髪の毛根に埋まった皮脂などを洗い流すのに効果がある。本発明のＳＰＧ膜搭載の水改質装置で生成したクラスターの小さい水、且つ洗浄力のあるマイナスイオンの豊富な水を飲料水として利用し、体内に供給することにより身体の体質改善にも効果があると期待できる。また、Ｏ／Ｗエマルションのような乳化製品製造過程で乳化剤をあまり使用することなく数日間程度の乳化安定性が見込めれば十分であるという場合、例えば、水分を８０〜９５％含有する食酢と油から製造されるドレッシング等、Ｏ／Ｗエマルションの連続相水溶液にＳＰＧ処理水を利用することによりＯ／Ｗエマルション乳化製品を製造したり、乳化剤を使用せずに予め粗く混合したＯ／ＷエマルションをＳＰＧに透過させることによりＯ／Ｗの水溶液部分がＳＰＧにより界面活性作用を有する水溶液に改質され、長期間乳化安定なＯ／Ｗエマルションを得ることが可能である。
【図面の簡単な説明】
【００３１】
【図１】本発明の一実施例を示す水透過モジュール全体を示す概略図である。
【図２】ＳＰＧ膜を模式的に示す断面図である。
【図３】ＳＰＧ処理前の原水と、孔径２．７μｍのＳＰＧ膜に透過した水（以下、ＳＰＧ処理水という）との３ヶ月経過後の状態を液体イオン化質量分析法により比較測定した質量スペクトルを示すグラフである。
【図４】図３の両者分布の水分子クラスター増減分布を示すグラフである。
【図５】ＳＰＧ膜を搭載した噴霧器の一実施例を示す斜視図である。
【図６】ＳＰＧ膜を搭載した噴霧器の他の実施例を示す斜視図である。
【図７】ＳＰＧ膜を搭載した浄水装置の一実施例を示す斜視図である。
【図８】浄水装置に搭載されたＳＰＧ膜の一実施例を模式的に示す断面図である。
【図９】水中の界面活性化作用を有するマイナスイオンのヒドロキシルイオンを模式的に示す構造図である。
【図１０】ＳＰＧ膜を通過する過程で生成される水中のヒドロキシルイオンを模式的に示す構造図である。
【図１１】孔径０．２μｍのＳＰＧ処理水とＳＰＧ処理前原水のエマルション乳化１日目（当日）の状態を示す写真。
【図１２】孔径０．２μｍのＳＰＧ処理水とＳＰＧ処理前原水のエマルション乳化５日目の状態を示す写真。
【図１３】孔径０．２μｍのＳＰＧ処理水とＳＰＧ処理前原水のエマルション乳化７日目の状態を示す写真。
【図１４】孔径０．２μｍのＳＰＧ処理水とＳＰＧ処理前原水のエマルション乳化８日目に再攪拌した状態を示す写真。
【図１５】孔径０．２μｍのＳＰＧ処理水と他社水のエマルション乳化１日目（当日）の状態を示す写真。
【図１６】孔径０．２μｍのＳＰＧ処理水と他社水のエマルション乳化２日目の状態を示す写真。
【図１７】孔径０．２μｍのＳＰＧ処理水と他社水のエマルション乳化７日目の状態を示す写真。
【図１８】孔径０．２μｍのＳＰＧ処理水と他社水のエマルション乳化１５日目の状態を示す写真。
【図１９】ＳＰＧ膜に水を透過する際に微弱電気が発生していることが確認できるシステムを示す模式図である。
【図２０】水がＳＰＧ膜を透過する前後の電位差を示すグラフである。
【図２１】水がＳＰＧ膜を透過する際の水圧の変化を示すグラフである。
【符号の説明】
【００３２】１    シラス多孔質ガラス（ＳＰＧ）
２    モジュール
３    モジュール上蓋
４    モジュール下蓋
５    水供給口
６    水道口
７    外側から加圧されＳＰＧ膜を透過する前の水
８    透過された水
９    ポンプ式容器
１０  水汲み上げ導管
１１  押圧ヘッド
１２  ノズル
１３  ボタン
１４  活性炭
１５  活性炭を敷き詰めた層
１６  Ｈ原子
１７  Ｏ原子
１８  Ｓｉ原子
１９  ＳＰＧ表面
２０  孔径０．２μｍのＳＰＧ処理水での乳化物
２１  ＳＰＧ処理前原水での乳化物
２２  比較例水１（商品名：創生水）での乳化物
２３  比較例水２（商品名：日田天領水）での乳化物
２４  ＳＰＧ膜を透過する前の水タンク
２５  循環ポンプ
２６  水の流れ
２７  ＳＰＧ膜
２８  電圧計
２９  端子（透過前）
３０  端子（透過後）
３１  ＳＰＧ膜を透過した後の水タンク
３２  圧力計
Ｗ１  親油性部分（ＯＨ−）ｍ
Ｗ２  親水性部分（Ｈ２Ｏ）ｎ
Ｗ０１  クラスター形成水
Ｌ１  改質過程
Ｗ１１  生成されたＯＨ−
Ｗ２１  小さくなったクラスター
Ｗ０２  クラスター形成水
Ｌ２    改質過程
Ｗ１２  生成されたＯＨ−
Ｗ２２  小さくなったクラスター
【図１】
2006110535.tif 000007
【図２】
2006110535.tif 000008
【図３】
2006110535.tif 000009
【図４】
2006110535.tif 000010
【図５】
2006110535.tif 000011
【図６】
2006110535.tif 000012
【図７】
2006110535.tif 000013
【図８】
2006110535.tif 000014
【図９】
2006110535.tif 000015
【図１０】
2006110535.tif 000016
【図１１】
2006110535.tif 000017
【図１２】
2006110535.tif 000018
【図１３】
2006110535.tif 000019
【図１４】
2006110535.tif 000020
【図１５】
2006110535.tif 000021
【図１６】
2006110535.tif 000022
【図１７】
2006110535.tif 000023
【図１８】
2006110535.tif 000024
【図１９】
2006110535.tif 000025
【図２０】
2006110535.tif 000026
【図２１】
2006110535.tif 000027
【手続補正書】
【提出日】平成16年11月25日(2004.11.25)
【手続補正１】
【補正対象書類名】図面
【補正対象項目名】図１５
【補正方法】変更
【補正の内容】
【図１５】
2006110535.tif 000028
【手続補正２】
【補正対象書類名】図面
【補正対象項目名】図１６
【補正方法】変更
【補正の内容】
【図１６】
2006110535.tif 000029
【手続補正３】
【補正対象書類名】図面
【補正対象項目名】図１７
【補正方法】変更
【補正の内容】
【図１７】
2006110535.tif 000030
【手続補正４】
【補正対象書類名】図面
【補正対象項目名】図１８
【補正方法】変更
【補正の内容】
【図１８】
2006110535.tif 000031